(57)【特許請求の範囲】
【請求項１】
ドアの開口部に上げ下げ障子を備え、
ドア側及び上げ下げ障子框は、室外側の金属枠と室内側の合成樹脂枠とを一体として断熱形材と成し、
上げ下げ障子の内障子の下框は、金属下枠と室内側面に装着した合成樹脂枠を有するとともに合成樹脂枠に段差を形成して下部見込み幅を上部見込み幅より小さくしてあり、
ドア側の金属下枠は、室内側の合成樹脂枠とで上げ下げ障子の内障子下框下部を収納する開口部を形成し、金属下枠の開口部縁部には、内障子に当接するタイト材を付設し、合成樹脂枠の開口部縁部には内障子下框下部の室内側に当接する軟質突片を付設してあることを特徴とする断熱ドア。
【発明の詳細な説明】
【０００１】
【発明の属する技術分野】
本発明は、断熱ドアに関するもので、詳しくは、断熱機能の高い障子用の断熱形材を用いた断熱ドアに関する。
【０００２】
【従来の技術】
勝手口等に取り付けるドアにおいて、そのドアに開口部を形成し、この開口部に一対の障子を上下にスライドさせて、ドアを閉状態のままで通風ができるようにしたものは公知である（例えば、実公平４−３５５１６号公報参照）。
最近、建物の断熱機能の向上に対する要望が高くなっており、上記ドアについても断熱機能が優れた断熱ドアが求められている。
【０００３】
従来の断熱ドアの本体枠として用いられるものとしては、室内外に配置するアルミ形材とアルミ形材の間に一定幅の断熱材を配置する例があるが、室内外幅、即ち、見込み寸法が大きくなるという不具合があった。
特に、上げ下げ障子を有する断熱ドアにあっては、本体枠幅が大きくなると室内外の見込み幅が大きくなり、断熱ドア全体の見込み幅が大きくなってしまうという問題があった。
【０００４】
【発明が解決しようとする課題】
本発明は上記不具合に対応すべく発明されたものであり、障子用の断熱形材の、見込み幅を小さくでき、室内外の温度差に伴う変形や歪みが少ない断熱形材からなる断熱ドアを提供することを課題とするものである。
【０００５】
【課題を解決するための手段】
上記課題を解決するために、断熱ドアは、ドアの開口部に上げ下げ障子を備え、ドア側及び上げ下げ障子框は、室外側の金属枠と室内側の合成樹脂枠とを一体として断熱形材と成し、上げ下げ障子の内障子の下框は、金属下枠と室内側面に装着した合成樹脂枠を有するとともに合成樹脂枠に段差を形成して下部見込み幅を上部見込み幅より小さくしてあり、ドア側の金属下枠は、室内側の合成樹脂枠とで上げ下げ障子の内障子下框下部を収納する開口部を形成し、金属下枠の開口部縁部には、内障子に当接するタイト材を付設し、合成樹脂枠の開口部縁部には内障子下框下部の室内側に当接する軟質突片を付設してあることを特徴とする。
【０００６】
【発明の実施の態様】
以下、本発明の断熱形材Ｂを含む断熱形材Ａの実施例について説明する。
本発明の実施例に係る障子用の断熱形材Ａは断熱ドアに適用する。該断熱ドアは、一戸建住宅やマンションの勝手口のドアとして取り付ける。
図２に示すように、躯体１の壁面に形成した開口部にはヒンジ２、２を介して片開きの断熱ドア３を装着する。断熱ドア３を装着するための開口部の周壁には、アルミ形材からなる躯体枠１０を取り付ける。躯体枠１０は、図２に示すように、躯体右枠１０ａ、躯体左枠１０ｂ、躯体上枠１０ｃ、及び躯体下枠１０ｄ（総称して表現するときは躯体枠１０という）から成り、それぞれビス等により躯体１壁に固定する。
【０００７】
躯体枠１０を構成する各枠１０ａ〜１０ｄは、それぞれ種々の形状のアルミ形材で形成されているが、この基本形状は公知のものであるので説明を省略する。躯体枠１０の室内側面には、合成樹脂枠（以下、「合成樹脂枠」は単に「樹脂枠」と略称する）を装着するため樹脂枠装着部（単に「装着部」と略称する）が形成してある。例えば、図１に示すように、躯体右枠１０ａに形成した装着部１９ａ、１９ｂは、樹脂枠６０を装着するためのカシメ部１９ａと、係合部１９ｂとして形成してある。図３、４に示すように、躯体上下枠１０ｃ、１０ｄにもカシメ部１９ａと係合部１９ｂとが設けてある。
【０００８】
躯体枠１０の室内側面に取り付ける樹脂枠６０には、図１、３、４に示すように室内側への突出部６０ｂ及び装着部１９ａへの取付部６０ａが形成されており、全体として巾厚で立体的に形成する。
躯体枠１０に対して、ドア金属枠２０をヒンジ２、２を介して開閉自在に軸着する。ドア金属枠２０には断熱形材Ａを用いる。
【０００９】
ドア金属枠２０は、図１に示す金属右枠２０ａ及び金属左枠２０ｂ、並びに図３、４に示す金属上枠２０ｃ及び金属下枠２０ｄとから構成し、押出成形されたアルミ形材の各種形状のものが使用されている。（なお、左右上下枠２０ａ〜２０ｄを総称して表現するときは「ドア金属枠２０」という。）
【００１０】
断熱形材Ａで形成されるドア金属枠２０の中央開口部は、上げ下げ障子の収納部２１を形成する。図１に示すように金属左右枠２０ｂ、２０ａの内壁、即ち、収納部２１両側に障子案内部材２２、２２が配置されている。
更に、ドア金属枠２０の室外側には、室外側板５０が固定してあり、この室外側板５０内には網戸（図外）が設けてある。
【００１１】
ドア金属枠２０には、図１、３、４に示すように、室内側面にカシメ部２９ａ及び係合部２９ｂとが形成されている。また、ドア左枠２０ｂには、室内外にそれぞれ把手２４、２４とロック部材２５とが取り付けてある。また、ドア金属枠２０の開口部縁部には障子３０に当接可能な気密用のタイト材２６を付設する。ドア金属枠２０の収納部２１には、内障子３０ａ及び外障子３０ｂ（総称するときは、障子３０と表現する）とからなる上げ下げ障子３０が上下動自在及び任意位置での停止自在に配置される。各障子３０ａ、３０ｂは、それぞれ個別に障子案内部材２２、２２に支持案内される。また、障子３０は、障子板３１及び障子板３１を保持する障子金属枠４０とからなる。障子板３１は、本実施例ではすべて２枚障子を用いる。
【００１２】
次に、断熱形材Ａを構成する樹脂枠６１について説明する。ドア金属枠２０の室内側面は樹脂枠６１を設ける。該樹脂枠６１は室内側周囲に位置するために化粧枠を兼ねることになり、意匠的に優れた素材、形状及び色彩のものが選ばれる。
ドア金属枠２０の装着部２９ａ、２９ｂに取り付ける樹脂枠６１は、図１、３、４に示すように、室内側の平面部６１ｂ、及び取付部６１ａで形成されており、全体として巾薄で板状に形成する。取付部６１ａの構成は、基本的には躯体枠１０用の樹脂枠６０の取付部６０ａの構成と同様である。
【００１３】
この樹脂枠６１には、ドア金属枠２０とは一定の断熱用の空間部６１ｃを形成させるための足部６１ｄ・・を設ける。この樹脂枠６１は、ドア金属枠２０の室内側面の形状に応じて適宜設計すればよいが、実施例では部分的に室内外方向において巾厚に形成されている。
また、後述の樹脂枠６２の平面部６２ｂに対向する樹脂枠６１の端部には、気密性向上のため軟質突片６１ｅが設けられている。この樹脂枠６１においても、断熱機能の向上を最大の課題としつつも、その形状、素材、色彩等を適宜選択することにより、意匠上優れたものとすることができる。
【００１４】
障子框としては、障子金属枠４０と樹脂枠６２とからなる断熱形材Ｂを用いる。障子金属枠４０は、図１、３、４に示すように、アルミ形材からなる金属右枠４０ａ、金属左枠（図外）、金属枠上枠４０ｃ、及び金属下枠４０ｄからなる（各枠を総称して表現するときは「障子金属枠４０」と表現する）。障子金属枠４０の室内側面には、樹脂枠６２を装着するためのカシメ部４９ａ及び係合部４９ｂとからなる装着部が形成される。また、障子金属枠４０の内周面にも、図１、３、４に示すように後述の断面Ｌ形の押縁６２ｃを保持させるための係合部４６、４７が一定距離離して２箇所形成してある。
図４に示すように、上げ下げ障子３０の内障子３０ａの下框は、金属下枠４０ｄと室内側面に装着した合成樹脂枠６２を有するとともに合成樹脂枠６２に段差を形成して下部見込み幅を上部見込み幅より小さくしてあり、ドア側の金属下枠２０ｄの開口部縁部には、内障子に当接するタイト材２６を付設し、合成樹脂枠６１の開口部縁部には内障子下框下部の室内側に当接する軟質突片６１ｅを付設してある。
【００１５】
樹脂枠６２は、障子金属枠４０の装着部４９ａ、４９ｂに取り付ける。図１、３、４に示すように、樹脂枠６２には、障子金属枠４０への取付部６２ａと室内側の平面部６２ｂが形成されている。この樹脂枠６２には、別体として、障子板３１をその周部において挟持する断面Ｌ型の押縁６２ｃが配置される。
金属右枠４０ａ、金属左枠（図外）及び樹脂枠６２の側部には障子案内部材２２、２２の内壁に対応する位置に突片４０ｅ・・が設けられ、タイト材保持枠を形成している。
【００１６】
該押縁６２ｃは、障子金属枠４０と障子板３１との間に配置され、その室内側端面には障子板３１内周面に延出する延出部６２ｄが形成されている。また、延出部６２ｄの端部は突片６２ｅとして形成され、軟質舌片６２ｆを介して障子板３１に当接している。
【００１７】
上記構成により、障子用の断熱形材Ａの室外側に位置するアルミ形材から伝えられる熱気や冷気は、室内側の樹脂枠６１、６２により断熱されるために室内に伝わることは少ない。また、室内側が樹脂枠６１、６２で統一されるため、樹脂枠６１、６２の素材、形状、色彩の選択が容易となり、意匠上の選択の余地が高まる。
【００１８】
更に、各枠１０、２０、４０への樹脂枠６０〜６２の取付において、その取付部６０ａ、６１ａ、６２ａをカシメ手段と圧着係合手段との２つの取付手段の組合わせを用いたことにより、取り付けを確実にすることができる。
また、各枠１０、２０、４０と樹脂枠６０〜６２との材質相違に伴う熱膨張率の差によって各枠間に若干の長さ等の歪みが生じても、圧着係合手段を用いた部分の僅かなズレ又は弾性変形によりその歪みを吸収できるので、枠、框に反り・湾曲等の歪みの発生が少ない。
【００１９】
また、歪みの可能性が少ない分だけ、枠、框を精密に設計でき、機密性・断熱性を向上させることができる。その結果、アルミ形材の枠１０、２０、４０と樹脂枠６０〜６２との合計寸法（巾寸法）を小さくすることができ、かつ、外見上体裁がよい形状となる。
なお、上記実施例では、係合部１９ｂ，２９ｂ、４９ｂは、押圧による係合手段を採用したが、その他、嵌合、掛け止め等の他の手段を採用してもよく、アルミ枠と樹脂枠６０〜６２との間の係合部で若干の相互移動（ズレ）が可能な構成であればよい。
【００２０】
更に、断熱形材Ａに開口部を形成して障子３０を配置させ、金属枠２０の開口部縁部には障子３０に当接可能なタイト材２６を付設すると共に樹脂枠６１の開口部縁部には障子３０に当接可能な軟質突片６１eを付設したから、金属枠２０と障子３０間及び合成樹脂枠６１と障子３０間の気密性を十分確保することができ、障子３０を含む断熱形材Ａ全体の断熱性を向上させる。
【００２１】
断熱形材Ａは断熱形材Ｂ部分を含めて室内外枠相互の装着部以外は伝熱部分を有せず、室外側の金属枠２０、４０部分と室内側の合成樹脂枠６１、６２部分とが断熱構造で障子板３０を保持しているから、室内外の熱の遮断効果がきわめて高い。
【００２２】
【発明の効果】
本発明は、下記の効果を奏する。
室外側の金属枠と室内側の合成樹脂枠とを一体として断熱形材を構成させたから、熱気や冷気が室外内に伝わらず、また、金属枠と合成樹脂枠との材質相違に伴う熱膨張率の差によって、両枠間に若干の長さ等の歪みが生じても、係合部で吸収させることができ、断熱形材に反り・湾曲等の歪みの発生が少ない。
【００２３】
また、歪みの発生の可能性が少ない分だけ、断熱形材を精密に設計でき、結果として気密性・断熱性を向上させることができる。しかも、装着部の構造を簡略化して小型にすれば、室内外巾方向の合計寸法（見込み寸法）を小さくすることができ、断熱形材も全体として軽量化できて、製造コストを下げることもできる。
【００２４】
更に、断熱形材に開口部を形成して障子を配置させ、金属枠の開口部縁部には障子に当接可能なタイト材を付設すると共に樹脂枠の開口部縁部には障子に当接可能な軟質突片を付設したから、金属枠と障子間及び合成樹脂枠と障子間の気密性を十分確保することができ、障子を含む断熱形材全体の断熱性を向上させる。
【００２５】
断熱形材は断熱形材部分を含めて室内外枠相互の装着部以外は伝熱部分を有せず、室外側の金属枠部分と室内側の合成樹脂枠部分とが断熱構造で障子板を保持しているから、室内外の熱の遮断効果がきわめて高い。
【図面の簡単な説明】
【図１】本発明の実施例に係る断熱ドアの要部の水平断面図（図２のＡ−Ａ断面図）。
【図２】同断熱ドアの正面図。
【図３】図２のＢ−Ｂ断面の断面図。
【図４】図２のＣ−Ｃ断面の断面図。
【符号の説明】
Ａ・・・断熱形材（ドア金属枠20＋樹脂枠61）
Ｂ・・・断熱形材（障子金属枠40＋樹脂枠62）
１・・・躯体
２・・・ヒンジ
３・・・断熱ドア
１０・・躯体枠
１０ａ・・躯体右枠
１０ｂ・・躯体左枠
１０ｃ・・躯体上枠
１０ｄ・・躯体下枠
１９ａ・・カシメ部（装着部）
１９ｂ・・係合部（装着部）
２０・・・ドア金属枠
２０ａ・・金属右枠
２０ｂ・・金属左枠
２０ｃ・・金属上枠
２０ｄ・・金属下枠
２１・・収納部
２２・・障子案内部材
２４・・把手
２５・・ロック部材
２６・・・タイト材
２９ａ・・カシメ部（装着部）
２９ｂ・・係合部（装着部）
３０・・・（上げ下げ）障子
３０ａ・・内障子
３０ｂ・・外障子
３１・・障子板
４０・・障子金属枠
４０ａ・・金属右枠
４０ｃ・・金属上枠
４０ｄ・・金属下枠
４０ｅ・・突片
４６、４７・・係合部
４９ａ・・カシメ部（装着部）
４９ｂ・・係合部（装着部）
５０・・室外側板
６０・・（合成）樹脂枠（躯体枠10用）
６０ａ・・取付部
６０ｂ・・平面部
６１・・（合成）樹脂枠（ドア金属枠20用）
６１ａ・・取付部
６１ｂ・・突出部
６１ｃ・・空間部
６１ｄ・・足部
６１ｅ・・・軟質突片
６２・・（合成）樹脂枠（障子金属枠40用）
６２ａ・・取付部
６２ｂ・・平面部
６２ｃ・・押縁
６２ｄ・・延出部
６２ｅ・・突片
６２ｆ・・・軟質舌片
【図１】
0003687821.tif 000002
【図２】
0003687821.tif 000003
【図３】
0003687821.tif 000004
【図４】
0003687821.tif 000005